(57)【要約】【課題】従来の問題点を解決するために、患者に対して最適な圧迫時間の指標を提供することができる使い捨て止血具を提供すること。【解決手段】本発明に係る使い捨て止血具は、  穿刺部位に直接接触する止血パッドと、前記止血パッドの上面に設けられ、少なくとも人の体温で変色するように調整された示温インクが塗布された示温層と、前記示温層の上面及び／又は下面に設けられ、少なくとも、その表面に接触した人の体温が示温層に伝わる時間を、穿刺部位を止血するために好適な圧迫時間遅らせるように構成された熱伝導遅延材料から成る透明な熱伝導遅延層とから成ることを特徴とする。【選択図】図２
2015054024.tif 000002
【特許請求の範囲】
【請求項１】
穿刺部位に直接接触する止血パッドと、
前記止血パッドの上面に設けられ、少なくとも人の体温で変色するように調整された示温インクが塗布された示温層と、
前記示温層の上面及び／又は下面に設けられ、少なくとも、その表面に接触した人の体温が示温層に伝わる時間を、穿刺部位を止血するために好適な圧迫時間遅らせるように構成された熱伝導遅延材料から成る透明な熱伝導遅延層と
から成ることを特徴とする使い捨て止血具。
【請求項２】
前記示温層に塗布された示温インクが、準不可逆性の温度帯域を有する
ことを特徴とする請求項１に記載の使い捨て止血具。
【請求項３】
前記示温層に塗布された示温インクの準不可逆性の温度帯域が３０度〜３５度であり、３５度以上で変色をすると、３０度以下になるまで変色をしない
ことを特徴とする請求項２に記載の使い捨て止血具。
【請求項４】
前記止血パッドと前記示温層との間に、使用者に対して圧迫時間が経過したことを知らせるメッセージが表示されたメッセージ表示層を設け、
前記示温層が、人の体温で透明に変色するように構成されている
ことを特徴とする請求項１〜３の何れか一項に記載の使い捨て止血具。
【発明の詳細な説明】
【技術分野】
【０００１】
本発明は、注射や採血のように注射針を刺すことによって生じる穿刺傷の止血に用いる使い捨て止血具に関する。
【背景技術】
【０００２】
注射や採血の時に生じる穿刺傷は、穿刺部位に消毒綿やガーゼパッド等を押し当て、所定の時間、圧迫することにより止血される。
日本臨床検査標準協議会（JCCLS）により発行されている「標準採血法ガイドライン（非特許文献１）」によれば、穿刺傷の止血を確認できるまでの圧迫時間は５分間程度とされており、病院等では、採血や注射の後に、消毒綿やガーゼパッドを穿刺部位に指で押しあてて、穿刺部位を５分間程度圧迫することを患者に指導している。
しかし、この５分間の圧迫時間は必ずしも守られているとは言えず、完全に止血される前に穿刺部位の圧迫を止めてしまい、穿刺部位から出血をしてしまう患者も少なくない。
【先行技術文献】
【非特許文献】
【０００３】
【非特許文献１】JCCLS特定非営利活動法人 日本臨床検査標準協議会発行「標準採血法ガイドライン」有限会社 学術広告出版  ２０１１年第1刷発行  C-2頁  ISBN978-4-9903522-0-2
【発明の開示】
【発明が解決しようとする課題】
【０００４】
５分間の圧迫時間が守られない理由は幾つか考えられるが、その一つは、正確な時間を簡便に知る方法がないことにあると発明者等は考えた。
即ち、患者は、ガーゼまたはパッド等を使って指で穿刺部位を圧迫している間は手が使えないため、この状態で５分経過するのを待つのは運用上極めて困難煩雑である。患者にとっては５分間が非常に長い時間に感じる。
このため、患者は、実際には５分経過していないにも拘わらず、相当長い時間圧迫していたと感じ、５分経過する前に穿刺部位の圧迫を止めてしまうことが多い。また、病院によっては止血用の別室および指導員を準備し５分間の止血を徹底することもあるが、場所の確保および人員の確保のため病院は相当の負担を負うという実情もある。
本発明は、上記した従来の問題点を解決するために、患者に対して最適な圧迫時間の指標を提供することができる使い捨て止血具を提供することを目的としている。
【課題を解決するための手段】
【０００５】
上記した目的を達成するために、本発明に係る使い捨て止血具は、穿刺部位に直接接触する止血パッドと、前記止血パッドの上面に設けられ、少なくとも人の体温で変色するように調整された示温インクが塗布された示温層と、前記示温層の上面及び／又は下面に設けられ、少なくとも、その表面に接触した人の体温が示温層に伝わる時間を、穿刺部位を止血するために好適な圧迫時間遅らせるように構成された熱伝導遅延材料から成る透明な熱伝導遅延層とから成ることを特徴とする。
前記示温層に塗布された示温インクは、準不可逆性の温度帯域を有し得、具体的には、例えば、３０度〜３５度の準不可逆性の温度帯域を有し得、３５度以上で変色をすると、３０度以下になるまで変色をしないように構成され得る。
前記止血パッドと前記示温層との間に、使用者に対して圧迫時間が経過したことを知らせるメッセージが表示されたメッセージ表示層を設け、前記示温層を、人の体温で透明に変色するように構成してもよい。
【発明の効果】
【０００６】
本発明に係る使い捨て止血具は、穿刺部位に直接接触する止血パッドと、前記止血パッドの上面に設けられ、少なくとも人の体温で変色するように調整された示温インクが塗布された示温層と、前記示温層の上面及び／又は下面に設けられ、少なくとも、その表面に接触した人の体温が示温層に伝わる時間を、穿刺部位を止血するために好適な圧迫時間遅らせるように構成された熱伝導遅延材料から成る透明な熱伝導遅延層とから成るので、採血等の後に穿刺部位に止血パッドが重なるように載せて、上から、即ち、熱伝導遅延層の上面から指で押さえることにより止血パッドで穿刺部位が圧迫される。そして、熱伝導遅延層により好適な圧迫時間（好ましくは５分間）が経過すると指及びまたは腕の熱が示温層に伝わり示温層が変色して好適な圧迫時間が経過したことを使用者に伝えることができる。これにより、使用者は好適な圧迫時間を知ることができるようになるという効果を奏する。
また、前記示温層に塗布された示温インクが、準不可逆性の温度帯域を有し、具体的には、例えば、３０度〜３５度の準不可逆性の温度帯域を有し、３５度以上で変色をすると、３０度以下になるまで変色をしないように構成することで、好適な圧迫時間が経過した後に指を離したら直ぐに元の色に戻ってしまうという問題が生じず、かつ、管理場所の温度上昇等により使用前にもかかわらず示温層が変色してしまっても、例えば、室温に３０分間保管することで元に色に戻り使用可能になる。
さらに、前記止血パッドと前記示温層との間に、使用者に対して圧迫時間が経過したことを知らせるメッセージが表示されたメッセージ表示層を設け、前記示温層を、人の体温で透明に変色するように構成することで、好適な圧迫時間が経過すると、示温層が透明になり、メッセージ表示層のメッセージ（例えば、「止血終」等のメッセージ）が読めるようになるという効果を奏する。
【図面の簡単な説明】
【０００７】
【図１】本発明に係る使い捨て止血具の断面図である。
【図２】（ａ）〜（ｄ）は本発明に係る使い捨て止血具の使用状態を示す図である。
【発明を実施するための形態】
【０００８】
以下、添付図面を参照して本発明に係る使い捨て止血具の実施の形態を説明していく。
【０００９】
図１は、本発明に係る使い捨て止血具の一実施例の断面図を示している。
図中符号１は使い捨て止血具を示しており、この使い捨て止血具１は、
穿刺部位に直接接触する止血パッド２、
前記止血パッドの上面に設けられたメッセージ表示層３、
前記メッセージ表示部３の上面に設けられた示温層４、及び
前記示温層４の上面に設けられた熱伝導遅延層５を有する。
前記メッセージ層３には、「止血終」や「止血具を外して下さい」等の止血が完了したことを表示するメッセージが表示されている。
前記示温層４は、少なくとも人の体温で透明に変色するように調整された示温インクが塗布されている。好ましくは、この示温層４に塗布された示温インクは、準不可逆性の温度帯域、具体的には、例えば、３０度〜３５度の準不可逆性の温度帯域を有する。これにより、３５度以上で変色をすると、３０度以下になるまで元の色に戻らないようになり、好適な圧迫時間が経過した後に指を離したら直ぐに元の色に戻ってしまうという問題が生じず、かつ、管理場所の温度上昇等により使用前にもかかわらず示温層が変色してしまっても、例えば、室温で３０分間保管することで元の色に戻り使用可能になる。
熱伝導遅延層５は、少なくとも、その表面に接触した人の体温が示温層４に伝わる時間を、穿刺部位を止血するために好適な圧迫時間だけ遅らせるように構成されている。具体的には、例えば、以下に示す材料が用いられる。
2015054024.tif 000003
【００１０】
上記したように構成された使い捨て止血具１の作用を図２を参照しながら説明する。
採血等が終わった後（図２（ａ））、医師等は、穿刺部位に使い捨て止血具１を止血パッド２が下になるように載せ（図２（ｂ）参照）、患者に指で上から（即ち、熱伝導遅延層５の上面から）押さえるように指示する（図２（ｃ）参照）。
患者の指からくる温度は、熱伝導遅延層５によって好適な圧迫時間だけ遅れて示温層４に伝わる。この好適な圧迫時間は、５分間程度である。圧迫時間は標準採血法ガイドラインによる。
そして、好適な圧迫時間の経過により体温が示温層４に伝わると示温層４は透明に変色するため、メッセージ表示層３のメッセージが現れ、患者に止血が完了したことを知らせる（図２（ｄ））。
このように患者は、止血具１の色の変化やメッセージの有無によって好適な圧迫時間が経過したか否かを知ることができるので、好適な圧迫時間経過前に止血具を外してしまうことがなくなることが期待できる。また、必要以上に長い時間圧迫し続けることもなくなる。
【００１１】
上記した実施例では、止血パッド２と示温層４との間にメッセージ層３を設け、示温層４の示温インクは体温で透明に変色するように構成されているが、この構成は本実施例に限定されることなく、使用者が好適な圧迫時間が経過したことを知ることができれば色が変化するだけの構成でよく、例えば、メッセージ層３を設けずに、示温層４の示温インクに色の変化のみで使用者に好適な圧迫時間の経過を知らせるように構成してもよい。
上記した実施例では、熱伝導遅延層５を示温層４の上に設けた例を示しているが、熱伝導遅延層５を設ける位置は本実施例に限定されることなく、例えば、熱伝導遅延層を示温層の下に設けてもよい。熱伝導遅延層を示温層の下に設けた場合、示温層は腕から伝わる温度によって変色することになり、腕から伝わる温度は熱伝導遅延層によって好適な圧迫時間だけ遅れて示温層に伝わる。
また、熱伝導遅延層を示温層の上又は下の何れか一方だけではなく、上面及び下面の両方に設けてもよい。このように熱伝導遅延層を示温層の上面及び下面に設けた場合には、熱伝導遅延層が指又は腕から伝わる温度を好適な圧迫時間だけ遅れさせることができる。
【符号の説明】
【００１２】
１  使い捨て止血具
２  止血パッド
３  メッセージ表示層
４  示温層
５  熱伝導遅延層
【図１】
2015054024.tif 000004
【図２】
2015054024.tif 000005